(57)【要約】【課題】この発明は一つのターミナル試着模擬システムと方法を提供する。【解決手段】主に、身体モデル情報と商品モデル情報に基づき、別々に3D身体のモデルと3Dの商品モデルを生産することに使われる。当該商品のモデル情報は着用できる物と関連する。3D身体モデルと当該3D商品モデルを3D試着モデルの立体映像に統合し、当該立体映像をディスプレーに顕示する。使用者はディスプレーに顕示された立体の映像により、当該衣服が合うかを判断し、実際の着用を評価し、異なる3D商品モデルの組み合わせにより、異なる立体映像の効果を形成させる。【選択図】図１
2008165807.tif 000002
【特許請求の範囲】
【請求項１】
一つのターミナル試着模擬システムに、次の部品が含まれる。
―通信モジュール。当該通信モジュールは使用者の操作により商品モデル情報を受信することができる。商品モデル情報はサーバに保存される着用できる服装と関連している。
一記憶モジュール。記憶モジュールに、使用者の指定し、或いは入力した身体モデル情報及び商品モデル情報が保存される。身体モデル情報は身体と関連している。
一使用者のインターフェースモジュール。当該使用者インターフェースモジュールは通信モジュールと接続している。複数の操作コマンドを受けることができる。この操作コマンドはハードウエア装置/ネット入力の制御情報と関連している。
―模擬モジュール。この模擬モジュールは記憶モジュールと使用者のインターフェースモジュールと接続している。操作コマンドを応答する。身体モデル情報により当該身体を代表する3D身体モデルを形成し、商品モデル情報により当該着用可能の服装を代表する3D商品モデルを形成する。当該3D身体モデルと3D商品モデルを3D試着モデルに統合する。及び
一ディスプレー。ディスプレーは模擬モジュールに接続しており、模擬モジュールで形成した3D試着モデルの立体映像を顕示する。
【請求項２】
特許請求の範囲第1項に記述されたターミナル試着模擬システムである。そのうち、模擬モジュールに物理計算式データベースと物理計算補助単元がある。3D身体モデルと3D商品モデル、及び3D商品モデルと3D商品モデルとの物理模擬累積様式が行われ、即時に3D試着様式の模擬が行われる。
【請求項３】
特許請求の範囲第2項に記述されたターミナル試着模擬システムである。そのうち、物理補助単元に複数の物理指令集がある。関連の計算における物理計算補助の機能が高められる。
【請求項４】
特許請求の範囲第2項に記述されたターミナル試着模擬システムである。そのうち、物理計算補助単元は、物理計算単元、或いは顕示計算単元及び中央処理単元に構成された群れから選ばれる。
【請求項５】
特許請求の範囲第2項に記述されたターミナル試着模擬システムである。そのうち、操作コマンドに動作コマンドの情報がある。当該動作コマンド情報は、3D身体モデルを駆動し、一連の即時動作を発生し、物理計算式データベース及び物理計算補助単元で、3D身体モデルと3D商品モデル、及び3D商品モデルと3D商品モデルとの物理連動関係を計算し、動態的な即時模擬の3D試着様式を計算する。
【請求項６】
特許請求の範囲第2項に記述されたターミナル試着模擬システムである。身体モデル情報には、身体に関する人間測量情報、骨組み情報及び身体外観映像特徴がある。当該ターミナル試着模擬システムは、人間測量情報により、人的属性を含む身体構造と輪郭曲面を形成し、当該身体の骨組みに合わせて、動作を駆動し、身体外観映像の特徴により、完全な即時模擬3D試着様式を形成する。
【請求項７】
特許請求の範囲第6項に記述されたターミナル試着模擬システムである。そのうち、人間測量情報は計算法により、少なくとも、二枚が身体と関連する映像から撮られ、或いは身体スキャン装置/3Dスキャンで身体をスキャンしてから取得され、或いは使用者の入力と選択で設置される。
【請求項８】
特許請求の範囲第2項に記述されたターミナル試着模擬システムである。そのうち、着用できる物は、服装、帽子、腕時計、指輪、腕輪、ネックレス、首輪、足指輪、メガネ、革帯、腰帯、手袋、化粧のネイル、ウィッグ、下着、ブラ、胸貼り、水着、マスク、肩掛け、袋、カバン、リュックサック、マフラー、絹織物、服装の組合せ物、装飾品、装身具、耳輪及びペットの服装で構成される群れの一要素である。
【請求項９】
特許請求の範囲第2項に記述されたターミナル試着模擬システムである。そのうち、商品モデル情報には、着用できる物に関する生地の曲線/曲面情報、生地の物理情報、生地の構造情報、生地の組合せ情報及び材質/貼り絵の情報がある。3D商品モデルの形状・外観・構造及び物理運動様式の記述と形成に使われる。
【請求項１０】
特許請求の範囲第2項に記述されたターミナル試着模擬システムである。そのうち、商品モデル情報には、少なくとも一つの着用方法の情報がある。模擬モジュールは当該着用方法の情報で、3D身体モデルと3D商品モデルを統合してから、即時模擬3D着用様式の一つのスタイルを形成する。
【請求項１１】
特許請求の範囲第10項に記述されたターミナル試着模擬システムである。そのうち、当該操作コマンドに、着用方法の変更コマンドがある。模擬モジュールは当該着用方法の変更コマンドで他の着用方法の情報を操作し、変更を行い、他の着用風格を形成する。
【請求項１２】
特許請求の範囲第2項に記述されたターミナル試着模擬システムである。そのうち、通信モジュールは身体に関連する身体モデル情報・商品モデル情報及び操作コマンドを他のターミナル試着模擬システムに上送し、ダウンロードする。当該ターミナル試着模擬システムで、即時模擬の3D試着様式を設立しなおす。
【請求項１３】
特許請求の範囲第2項に記述されたターミナル試着模擬システムである。そのうち、通信モジュールは情景情報を受信する。模擬モジュールは当該操作コマンドを応答する。情景情報に基づき、模擬情景を形成し、3D身体モデルと3D商品モデル及び模擬情景を統合し、模擬情景における試着風格の展示を形成する。
【請求項１４】
特許請求の範囲第2項に記述されたターミナル試着模擬システムである。そのうち、地元の商品モデル情報デザイン改正機がある。当該改正機は商品モデル情報の詳細情報及び属性値を開き、デザインの改正を行い、商品改正要求の情報を形成する。
【請求項１５】
特許請求の範囲第2項に記述されたターミナル試着模擬システムであり、大型の数人のネット上のサーバがある。当該大型数人のネット上サーバでは、模擬ネット空間があり、数人の使用者が3D模擬空間に納められる。且、これらの数人の使用者が3D模擬空間に互換に話し合うことができる。
【請求項１６】
一つのターミナル試着模擬ステムの操作と応用方法には、次の手順がある。
消費者の注目する身体モデルの情報を入力すること。
着用できる物の検索条件を設定し、商品の検索を行うこと。
当該着用できる物を代表する商品モデルの情報を選定すること。
少なくとも、一つの商品モデル情報を読取り、保存すること。
当該身体モデル情報と少なくとも一つの商品モデルを統合し、一つの着用映像情報を形成すること。
当該着用映像情報をネット空間に上送し、少なくとも1人の使用者が遠距離のターミナルで操作し観賞し、評価対応の情報を形成すること。
少なくとも1人のネット上の使用者からの評価と応答情報を収集し、着用できる物の消費評価参考を形成すること。及び
商品の注文情報を形成し、転送すること。
【請求項１７】
特許請求の範囲第16項に記述されたターミナル試着模擬システムの操作と応用方法である。そのうち、評価と応対情報は、得点、評論、商品建議、組合せの建議、情景の建議、着用様式の建議、出席場合の建議、検索条件の建議、商品ブランドの建議、商品デザイン変更の建議、商品交代建議、配色の建議、材質の建議、商品改正の建議、商品注文建議、商品番号の情報、付属文字の情報、付属図の情報、皮膚化粧の建議及び髪型の建議に構成された群れから選ばれる。
【請求項１８】
特許請求の範囲第16項に記述されたターミナル試着模擬システムの操作と応用方法である。そのうち、ネット空間はサーバ、ホームページの空間、部落空間、ネット論壇空間、情報交換サーバ、データベースサーバ、資料サーバ、点対点サーバ、即時通信ソフトウエア、点対点の交換ソフトウエア、映像サーバ、映像直列交換ソフトウエア、模擬ネット空間、ネットゲーム空間、模擬3Dネット空間、模擬3Dネット市場、映像共有空間、ネット通信受信ソフトウエア及びネットサービスシステムに構成された群れから選ばれる。
【請求項１９】
特許請求の範囲第16項に記述されたターミナル試着模擬システムの操作と応用方法である。そのうち、商品注文情報には、一つの商品注文情報がある。消費者の組合せ要求或いは改正要求及び個別の注文要求が実現される。
【請求項２０】
特許請求の範囲第19項に記述されたターミナル試着模擬システムの操作と応用方法である。そのうち、商品注文情報は、適当なサイズ、身体サイズ、身形情報、番号付けの情報、生地の使用情報、部品の情報、セット商品の情報、デザイン改正要求の情報、原材料変更の情報、縫い方様式の情報、配色の情報、着色の情報、選択予定の情報、付属文字の情報及び付属図の情報に構成された群れから選ばれる。
【請求項２１】
特許請求の範囲第16項に記述されたターミナル試着模擬システムの操作と応用方法であり、更に身分証人の手続きを行う。消費者は身分検証でログインし、身体モデル情報を読み取り、保存する。
【請求項２２】
特許請求の範囲第21項に記述されたターミナル試着模擬システムの操作と応用方法であり、更に遠距離制御プログラムを実施することができる。消費者は特定授権のある、身分認証を通過したネット使用者の転送したターミナル操作コマンドを受取ることができる。当該遠距離制御プログラムを通じて、直接に即時に遠距離で消費者のターミナル試着模擬システムの動作を制御することができる。
【請求項２３】
特許請求の範囲第16項に記述されたターミナル試着模擬システムの操作と応用方法である。そのうち、当該商品の検索条件に、商品快速検索条件がある。消費者が速やかに着用できる衣服の商品モデル情報を検索することができる。
【請求項２４】
特許請求の範囲第16項に記述されたターミナル試着模擬システムの操作と応用方法である。そのうち、商品快速検索条件は、商品選択の臨時情報、ショッピング箱情報、次回購買情報、購買した商品情報、模擬ダンス情報、3D模擬商品情報、模擬3Dネット商店展示棚、模擬3Dネット商店展示の店舗、サーバ自動商品推薦情報、専門家の推薦した商品情報、遠距離の顧客サービス人員の推薦した商品情報、他のネット使用者の推薦した商品、評価と対応の推薦した商品、組合せの推薦した商品情報、購買推薦の優遇組合せの情報、或いは予定の組合せセットの装飾品などに構成された群れから選ばれる。
【請求項２５】
特許請求の範囲第16項に記述されたターミナル試着模擬システムの操作と応用方法であり、動態的な展示で情報を顕示することができる。当該試着模擬システムに動態展示情報に事前の動態展示効果が再生される。
【発明の詳細な説明】
【技術分野】
【０００１】
この発明は一つのターミナル試着模擬システムと操作及び応用方法であり、3D身体モデルと3D商品モデルを立体の映像に統合することに使われる。特に、この発明は一つの身体でモデル情報を形成し、或いは一つの商品でモデル情報を形成し、或いは予定の3D商品モデルで服装を形成する立体人体映像のターミナル試着模擬システムである。
【背景技術】
【０００２】
コンピュータのハードウエア・ソフトウエア及びネットワークなどの技術の発展に従って、多くの模擬システムが開発された。一般に、今までの模擬システムには3Dの視覚効果が現れ、模擬物と人物の真実性が強化され、使用者が模擬の世界で元々の規律を感じられないが、乱れの中に秩序があり、自分がその場に当たる感じがある。しかし、今までの模擬システムは主に娯楽工場・模擬教育訓練及びデザインなどの分野に使われている。模擬システムの応用する産業範囲が流行産業・紡織産業及び電子商務などの分野に拡大し、互換的な作業様式が行えると、顧客に更なる高品質なサービスを提供することができる。その他、当該模擬システムには、より有効にセールスマン・製品デザイン及び研究開発人員などの顧客の好みとニーズに関するデータが提供されるので、デザインと検討に助けており、製品の研究開発時間が短くなる。同時に、製品の追加価値を高め、市場の動きを把握し、競争の優勢を保つ方法も提供される。
【０００３】
今では、模擬衣服或いは組合せの試着模擬システムは既に登場した。それは多角の2D物のモデル図組及び多角の2D人体モデル図組を模擬し、及び当該多角の2D物のモデル図組及び当該多角の2D人体モデル図組の組合をターミナルに顕示する。その後は、単一角度の2Dの映像でターミナルに転送し、使用者の操作により、異なる角度の図の組合を顕示し、多角の2D映像図の組合せにより、当該多角の2D物のモデルの衣服或いは装飾の適当程度と組み合わせが判断される。
【発明の開示】
【発明が解決しようとする課題】
【０００４】
しかし、2D図の組合せで3D物を模擬することには、当該モデルの無限角度と遠近視角が観察できなく、モデルの動作を制定する或いは動態の執行などの互換的な行為は難しくなる。且つ、このような方式で複雑な組合は執行できなく、物理状態の模擬・灯光の変更・視角調整などは行えなくなり、高度な真実模擬の全体視覚効果が得られない。
【課題を解決するための手段】
【０００５】
そこで、この発明の一つの範疇は、身体モデルの情報から形成した3D身体モデル及び商品モデル情報より形成した3D商品モデルを、一つのターミナルで3D試着モデルの立体映像に統合し、当該立体映像により、立体映像における3D商品モデルの着用できる服装が組合わせるかを判断するターミナル試着模擬システムである。
【０００６】
また、この発明には物理的計算の関連運用が加えられる。物理計算式データベースと物理計算単元がこの模擬システムに統合され、これまでのCPUが負担できない生地物理模擬に発生する無限の衝突がいつでも計算できる。且、3D身体モデルと3D商品モデル、及び3D商品モデルと3D商品モデルの間の真実模擬累計の動態効果が得られる。これらは今までの模擬環境及び3D分野に想像し難いことである。且、Web2.0の概念が結合されており、団地・評論・遠距離再生・遠距離操作及び使用者が商品情報を変更することができるなどの色々なネット応用が運用されている。これで、このシステムの実用作用が大幅に高められる。例えば、消費者が商品を選ぶ時に、他の使用者と交流し、情報を共用することができる。より多くの意見と交流意見が得られる。且、多くの商品の改正意見、或いは注文の情報が終端の生産業者まで伝えられる。個人化の商品が注文できるし、未来の製品デザインにも重要な意見が提供される。
【発明を実施するための最良の形態】
【０００７】
この発明に実施良好の具体的な例のターミナル試着模擬システムには、一つの通信モジュール、一つの記憶モジュール、一つの使用者インタフェースモジュール、一つの模擬モジュール及び一つのディスプレーが含まれる。当該通信モジュールでは、使用者が操作を行い、商品のモデル情報を受信することができる。当該商品モデル情報はサーバに保存される着用できる物と関連する。当該記憶モジュールは身体モデル情報と当該商品モデル情報の保存に使われる。身体モデル情報は身体と関連する。使用者インターフェースモジュールは通信モジュールに接続されており、複数の操作命令を受けることができる。模擬モジュールは記録モジュール及び使用者インターフェースのモジュールに接続される。模擬モジュールは操作命令に応答し、身体モデル情報により、当該身体を代表する3D身体モデルを形成し、商品モデル情報により、着用できる服装を代表する3D商品モデルを形成してから、3D身体モデルと3D商品モデルを統合し、3D試着モデルを形成する。ディスプレーは模擬モジュールに接続され、模擬モジュールで形成した3D試着モデルの立体映像を顕示する。
【０００８】
この発明のもう一つの実施良好のターミナル試着模擬システムの操作と応用方法によると、次の手順がある。（a）消費者の注目する関連身体を代表するモデル情報を入力する。(b)一つの着用できる衣服の商品の捜索条件を設定し、商品の捜索を行う。(c)少なくとも、着用できる服装を代表する、一つの商品モデル情報を選定する。(d)少なくとも、一つの商品モデル情報を読み取り、保存する(e)身体モデル情報を少なくとも、一つの商品モデル情報と統合し、一つの試着映像情報を形成する。(f)当該試着映像の情報をネット空間に上送し、少なくとも、1人のネット使用者が遠距離操作で尋ねてから、一つの評価対応情報を形成する。(g)少なくとも、1人のネット使用者の評価対応情報を受け取り、収集して、一つの着用できる服装の消費評価参考を形成し、及び(h)商品の注文情報を形成し、転送する。
【０００９】
この発明の優れた所と精神について、下記の発明詳細と付属の図式で詳しく了解できる。
【００１０】
（実施方法）
この発明は一種のターミナル試着模擬システムを提供し、身体モデル情報と商品モデル情報により、3D身体モデル及び3D商品モデルを模擬し、当該3D身体モデル及び3D商品モデルを立体映像に統合する。商品モデル情報は着用できる物と関連する。使用者は立体映像により、3D商品モデルの対応物があわせるか、及び個人の風格に合うかを判断できる。他に、当該3D身体モデルは予定の3D商品モデルと合わせて、立体映像になれる。下記の内容に、この発明の実施良好の具体例が記述されており、この発明の特徴・精神と優れた所及び実施上の便利さが十分に説明されている。
【００１１】
図一を参考してください。図一は、この発明の一つの実施良好の具体例としてのターミナル試着模擬システム1の説明図である。図一に示されたとおり、模擬システムには、通信モジュール12、記憶モジュール16、使用者インターフェースモジュール10、模擬モジュール14及びディスプレー18がある。この例により、ターミナル試着模擬システムがこれまでのネット試着のウェブで採用されたネット閲覧エンジンと異なっていることがわかる。これまでのシステムでは、固定のモデルの2D映像が顕示され、商品の2D映像が使われるが、このシステムはターミナルの装置を通じて、商品モデルの情報をダウンロードし、一つの3D商品モデルに転換する同時に、模擬モジュールに3D身体モデルと3D商品モデルを入れてから、3D試着モデルを模擬することができる。2D画像の顕示方法とは異なっている。一般の3Dゲームソフトとの相違点は、当該ターミナル試着模擬システムが直接に実体商品の商品モデル情報をダウンロードするので、ただゲームソフトにある3D模擬ゲームの物に限らない。且、身体と関連する身体モデル情報より形成した3D身体モデルは、ゲーム参加者の選んだ3Dモデルに限らないので、この発明で、使用者が速やかに精確に試着模擬を行えるようになる。且、3D試着モデルがより真実に模擬されている。これで、これまでの2D図の組合せに使われる大量の図式保存が改善され、3Dソフトで手作りの固定動作のモデル模型と商品モデルが出力されるので、即時の3D試着モデルで、大幅に応用さが拡大される。一方には、3Dゲームソフトと完全に異なる応用分野が提供されている。
【００１２】
図二Aと図二Bを参考してください。図二Aは人間身体模擬モデル2の説明図であり、図二Bは人間身体模擬モデル2の3D輪郭線の説明図である。使用者は通信モジュール12の操作を通じて、商品モデル情報を受信することができる。当該商品モデルの情報はサーバにある着用できる衣服と関連している。記録モジュール16には、使用者が指定した、或いは入力した身体モデル情報及び商品モデルの情報が保存される。身体モデル情報は身体と関連している。そのうち、身体モデル情報は、自分で入力し、或いは販売者が入力し、或いは身体スキャンの機器或いは3Dスキャンの機器などのハードウエアで入力してから、ネット上のキャラクター文書にすることができる。ネットゲームのように前もってキャラクターを準備し、ネット上に保存する。もちろん、使用者のコンピュータのみに保存することもできる。使用者のインターフェース・モジュール10は通信モジュール12と連続し、複数の操作コマンドを受信することができる。且、当該操作コマンドはハードウエア/入力の制御情報と関連している。他に説明すべきことは、操作コマンドが身近のキーボード・マウス、動作制御機、情報制御機などの周辺ハードウエア装置、或いはネット上の遠距離制御コマンドである可能性はある。つまり、遠距離の制御コマンド或いは遠距離のハードウエアの操作を通じて、身近の模擬システム制御を行うことができる。
【００１３】
図一に示されたとおり、通信モジュール12は、外部のネット22より、サーバ24に接続することができる。当該通信モジュール12には、無線電信モジュール12a、公衆交換電話モジュール12b及びネットワークモジュール12cなどがある。上述の通信装置より、使用者は直接に使用者インタフェースのモジュール10を操作しなくでも、遠距離でコマンドを入力することができる。当該無線電信モジュール12aは無線電信ネットに接続できる。当該公衆交換電話モジュール12bは公衆交換電話ネットに接続できる。当該ネットワークモジュール12cは局部ネット、企業内部ネット、国際ネットなどに連続できる。
【００１４】
図三A〜図三Cを参考してください。図三Aは人間の顔模擬モデル3の説明図であり、図三Bは人間の顔模擬モデル3の3D輪郭図であり、図三Cは人間の顔模擬3の3D輪郭線の図である。当該身体モデル情報には、身体に関連する人間の測量情報、身体骨組みの情報及び身体の外観映像特徴などがある。ターミナル試着模擬システムは当該人間測量情報により、人間の属性の身体構造及び輪郭曲面を形成し、当該骨組み情報にあわせて動作を駆動してから、身体外観の映像特徴を通じて、即時に完全な真実模擬の3D試着様式を形成する。
【００１５】
具体的な例において、当該人体測量情報は、計算法で少なくとも身体関連の映像から二枚を獲得し、或いは身体スキャン装置/3Dスキャン機器で当該身体をスキャンし、取得され、或いは使用者の入力/選択で設置される。
【００１６】
且、上述のとおり、当該人間測量情報は、身長、頭型、髪型、手足の長さと太さなどの曲線、身体の太さの曲線、胸の曲線、ウエストの曲線、腰の曲線、股の曲線、手足の幅、肩の高さ、肩の幅、肘の高さ、垂直座りの高さ、正常座りの高さ、両肘の距離、股の幅、足の幅、膝の高さ、股から足までの距離、股から膝までの距離、股から足指までの距離、垂直握りの長さ、水平握りの長さ、水平伸びの腕の長さ、顔の曲線、目の高さ、眼窩の曲線、両眼の距離、眉の曲線、眉の距離、鼻の曲線、口型の曲線、唇の曲線、耳の曲線、或いは頬の曲線などである。身体測量情報には、工学の分野にもいろんな身体詳細の曲面・輪郭と色んな相対と絶対の数値の記述と記録、及び身体構造と動作特性などがあり、筋肉と脂肪などの弾性情報と関連している。且、身体模擬情報の記述は無限のすべての関連数値に入れがたい。十分に形成した基本の模擬様式、及び人体外観曲線輪郭を代表する各種類の身体情報により、真実な身体模擬で、このターミナル試着模擬システムに3D身体モデルを形成してから、3D商品モデルを加えて、更に模擬と制御を行い、弾性情報を入れて、3D商品モデルの物を3D身体モデルに緊縮し、衣服付けの皮膚に類似する視覚効果が現れてくる。
【００１７】
図一を参考してください。模擬モジュール14は記憶モジュール16と使用者インタフェース10に接続している。模擬モジュール14は操作コマンドの応答に使用できる。身体モデル情報により、身体を代表する3D身体モデルが形成され、商品モデル情報により、衣服を代表する3D商品モデルが形成される。3D身体モデルと3D商品モデルの統合により、3D試着モデルが形成される。図四Aと図四Bを参考してください。図四Aは3D商品モデル4の説明図であり、図四Bは3D商品モデル4の3D輪郭線の説明図である。
【００１８】
図五Aと図五Bを参考してください。図五Aは身体模擬モデル5の3D試着モデルの説明図であり、図五Bは身体模擬モデルに3D試着モデル6を統合する説明図である。具体例には、模擬モジュール14に、物理的な計算式のデータベース140と物理計算補助単元142があり、即時に3D身体モデルと3D商品モデル、及び3D商品モデルと3D商品モデルにおける物理累計様式の計算が行われ、即時に真実模擬3D試着様式が模擬される。これで、複雑な物理的な計算が行われており、服装がキャラクターについている真実な物理効果が得られる。ディスプレー18は模擬モジュール14に接続している。ディスプレー18は模擬モジュール14で形成された3D試着モデルの立体映像を顕示することができる。
【００１９】
具体例に、物理計算補助単元142には、複数の物理指令集があるので、当該物理計算補助単元142の物理関連計算の機能が向上される。早期のIntelがCPUにMMX(Multi Media Extended)の延伸指令集を加え、映像の放送処理スピードを高め、SSE、 SSE2(Streaming-Single instruction multiple data-Extensions 2)及びAMDの3DNow!3Dの映像顕示指令集で3D図形の処理機能を加速したように、当該物理指令集はCPU、或いはGPU、或いはPPUに置かれるので、直接の指令集計算により、物理計算の機能が大幅に高めれる。
【００２０】
また、具体例に、当該物理計算補助単元142が物理計算単元、計算顕示単元、或いは中央処理単元である可能性がある。これで、ゲームの分野に適用され、真実な物理模擬効果が得られる。例えば、軟質・硬質物体の動力、通常の衝突測定、有限元素の分析、流体動力、髪毛の模擬、生地の模擬など、物理関連の計算など。
【００２１】
ここで特別に説明すべきことは、具体例に、当該操作コマンドには、動作コマンドの情報がある。動作コマンド情報は、一連の即時動態動作を駆動することができる。例えば、回り、走り、曲がりなどの動作。使用者は立体映像における3D物のモデルの異なる動作と角度における動作状況を観察することができる。動作情報は予定の動作指令であり、或いは動作保存機で展示できる。使用者は身体に動作保存機を保存し、2Dディスプレー、或いは3Dディスプレーに向き、異なる動作を行うことができる。図六Aと図六Bを参考してください。図六Aは3D試着モデル7の姿勢を示す説明図であり、図六Bは3D試着モデル7の他の姿勢を示す説明図である。図六Aはただ衣服の簡単な組み合わせを示し、いかなる物理的な計算は行わないが、図六ｂは物理計算補助単元142が計算を行うことを示している。
【００２２】
そこで、物理計算式データベース140と物理計算補助単元142は即に3D身体モデルと3D商品モデル、及び3D商品モデルと3D商品モデル間の物理連動関係を計算し、即時に真実模擬の3D試着様式を形成することができる。
【００２３】
具体例に、模擬モジュール14は身体モデル情報と商品モデル情報を合わせて、一つの身体情報を形成し、或いは3D身体モデルと3D商品モデルにより、一つの身体情報を形成する。ここで、使用者が速やかに当該商品が身に合うかを判断することができる。
【００２４】
具体例に、当該身体外観の特徴は、材質の情報、皮膚の輝き、皮膚の色、刺青、生れつきの記号、皮膚の模様、皮膚の皺、髪毛の位置、髪毛の外観様式、目の色、或いは化粧の様式などである。且、実施例に、外観映像特徴は少なくとも、一枚が身体に関連する映像から撮られる。
【００２５】
当該操作コマンドには、身体化粧に関する皮膚の化粧情報が含まれる。当該皮膚の化粧情報は模擬モジュール14を通じて、化粧の層になる。当該化粧の層が3D身体モデルに貼れる。図七を参考してください。図七はもう一つの真実模擬の顔モデル8の説明図である。当該真実模擬の顔モデル8に、顔には多くの図でチークス、アイシャドー、口紅などの化粧効果が得られる。
【００２６】
具体例に、当該3D試着モデルに少なくとも、一枚の材質の貼り絵が貼れるので、当該3D試着モデルの真実模擬様式が現れる。且、実施例に、当該材質の貼り絵は一枚の貼り絵、映像貼り絵、皺の貼り絵、材質の調整、特別な環境材質の貼り絵、光源処理貼り絵、特別手順の材質貼り絵、透明の貼り絵、凸凹の貼り絵、法線の貼り絵、波の貼り絵、環境色の貼り絵、ばら色の貼り絵、反射の貼り絵、折射の貼り絵、頂点色の貼り絵、或いは上述の貼り絵の組み合わせで構成されている。3D商品モデル、3D身体モデルにおける真実模擬材質効果と外観様式が発生する。材質と貼り絵の多数の組み合わせを通じて、模擬の視覚効果が強化される。
【００２７】
具体例に、当該服装は衣服、帽子、靴、腕時計、腕輪、指輪、ネックレス、首輪、足輪、メガネ、革帯、腰帯、手袋、化粧の偽装ネイル、ウィッグ、下着、ブラ、胸のはりもの、水着、マスク、肩掛け、袋、カバン、リュックサック、マフラー、絹織物、セット商品、装飾品、耳輪或いはペットの服装などである。各種類のキャラクターが着れる商品には、基本の衣服、スカート、ズボン、靴、帽子など、周辺の装飾品、真珠と宝石、腕時計及び各種類のブランドカバンなどがある。身体が猫・犬などのペットを代表しても、ペットの服装・装飾品及び各種類の着用用品がある。
【００２８】
具体例に、商品モデル情報には、服装に関連する生地の曲線/曲面情報、生地の物理情報、生地の構造情報、生地の組合わせ情報及び材質/貼り絵などの情報があり、3D商品モデルの形・外観・構造と物理運動の様式が記述されている。且、当該商品モデルの情報は材質貼り絵の情報、形の情報、生地結合の情報、裁縫の情報、柔軟な物の物理特性、材質の柔軟さ、材質の延性、材質の触感、材質の摩擦力、材質の厚さ、構造の弾性、材質の硬度、機織の構造、糸の種類、硬質物の物理特性或いは構造の部品である。上述の各種類の情報により、物理計算式のデータベースと物理計算補助単元で、3D商品モデルの計算と操作が行われる。3D商品モデルと他の3D商品モデル、或いは3D身体モデルとの互換的な物理特性、及び自身/交流の変形/結合との構造が反映される。
【００２９】
他の具体例に、当該商品モデル情報に、少なくとも一つの着用方法の情報が含まれる。当該模擬モジュール14で、この一つの着用方法情報により、当該3D身体モデルと3D商品モデルが統合されており、即時に3D試着様式の着用スタイルが形成される。当該着用方法情報は、着用の物の色んな角度、色んな位置、多種の皺、組み合わせの構造などの方式で現れる。
【００３０】
且、当該操作コマンドには、着用方式の変更コマンドがある。当該模擬モジュールで、着用方式により着用方式の情報操作コマンドを変更することにより、他の着用スタイルに変わる事ができる。
【００３１】
この模擬システムでは、異なる商品モデル情報間の着用方法の情報或いは他の制御コマンドが得られる。異なる商品の指定着用風格に従って、速やかに商品着用様式、及び多数の3D商品モデル間の組み合わせ/結合の関係、及び3D身体モデルにおける3D商品の地位と角度を変更するができる。着用方法情報の変更を通じて、各種類の服装商品の組合わせの真実に符合する模擬効果がより著しく現れてくる。例えば、シャツがきれいにズボンに入れており、ネクタイに加えて、元気に見られている。シャツをズボンの外においてもいい。ネクタイが半分ぐらい結ばれており、退廃的に見れる。マフラーの結び方も多様である。腕時計やネックレスなどの着用方式も多い。着用方式の情報は単一3D商品モデルの着用様式の指定に限らなく、異なる3D商品モデルの組合わせ、セット及び累積関係なども指定できる。このように、使用者はより精確に即時模擬3D着用様式と即時模擬の3D着用様式に現れた豊富な着用風格を獲得することができる。着用方式の変更により、消費者がショッピングする時に試着、試用で着用の感じを調整する生活習慣に合うようになる。
【００３２】
具体例に、通信モジュール12では、身体関連のモデル情報、商品モデル情報を上送し、或いはダウンロードし、操作コマンドで遠距離ターミナル試着模擬システムに（図一に示されない）ログインし、当該ターミナル試着模擬システムで3D試着モデル及び即時模擬の3D試着様式を作成することができる。
【００３３】
具体例に、通信モジュール12で、情景の情報を受信することができる。模擬モジュール14では、操作コマンドに対応し、当該情景情報により、模擬の情景を形成する。3D身体モデルと3D商品モデル及び模擬情景を統合し、模擬情景における試着スタイルの展示を形成する。図八を参考してください。図八は模擬情景における図六Bに示された3D試着モデル7を示している。このように、個人化展示の延伸応用が実現される。
【００３４】
上述のように、当該情景情報は、空間情報、灯光情報、雰囲気情報、音声情報、特効情報、気候情報、視覚角度、家具情報或いは置物の情報などである。背景情景は着用商品の組合わせの延伸であり、情景情報の記入で試着風格の展示を形成する、現実生活の各種類の状況と場合における即時模擬の3D試着様式が現れる。例えば、宴会に出席する場合、真実の背景に結合した視覚効果など。同時に、遠距離の操作で、3D試着モデルと即時模擬の3D試着様式が形成されており、遠距離の使用者の服装組合せが実現される。例えば、恋人服装、或いは夫婦服装の模擬効果の運用など。
【００３５】
具体例に、模擬システムに、効果強化機がある。当該効果強化機は、模擬情景における試着風格の展示或いは単一模擬3D試着様式の効果を強化することができる。これで、模擬情景におけるすべての関連物が2D/3D試着映像に変わる。これで、写真効果の2D図、或いは3D展示の延伸応用が出力される。
【００３６】
具体例に、ターミナル試着モデル模擬システムに、地元の商品モデル情報デザインの改正機（図に示さない）がある。当該改正機で、商品モデル情報の細部情報と属性数値が顕示され、デザインの改正が行えるので、商品改正に必要な情報が形成される。且、実施例には、当該商品の改正に、情報はコード情報、曲線改正情報、部品変更情報、原材料材質変更情報、デザイン様式変更情報、模様変更情報、付録文字変更情報、付属図変更情報、長さ改正情報、幅の改正情報、弾性改正情報、厚さ改正情報、裏づけ改正情報、縫い方改正情報、皺改正情報、大きさの改正情報、配色の改正情報、或いは着色の改正情報などである。
【００３７】
具体例に、ターミナル試着模擬システムに、大幅の数人のネット上サーバがある。当該大型の数人の線上サーバで、模擬ネット空間があり、数人の使用者が一つの3D模擬空間におかれる。当該多数の使用者は3D模擬空間に互換的に話し合うことができる。このように、現有の数人ネットゲームと共有し、友達を探す機能のあるネットサービスのプラットフォームになる。使用者は遠距離の使用者と音声或いは文字で話し合うことができる。同時に、他の遠距離の使用者の3D試着様式が見える。且、相手のネット箪笥により、異なる試着効果が見られる。これは、ゲーム・共有・友達との互換的微妙な組合せである。
【００３８】
他に、図九を参考してください。図九は、効果良好の具体的な実施例におけるターミナル試着模擬システムの操作と応用方法のプロセスを示している。図九に示されたように、この発明のターミナル試着模擬システムの操作と応用方法に、次の手順がある。
【００３９】
まず、手順S10を執行し、消費者の注目する身体モデル情報を入力する。
【００４０】
そして、手順S12を執行し、着用できる物の商品検索条件を設定し、商品の検索を行う。
【００４１】
そして、手順S14を執行し、少なくとも、着用できる一つの商品モデル情報を選定する。
【００４２】
そして、手順S16を執行し、少なくとも、一つの商品モデル情報を読み取り、保存する。
【００４３】
そして、手順S18を執行し、身体モデル情報を少なくとも一つの商品モデル情報に統合し、一つの試着映像情報を形成する。
【００４４】
そして、手順S20を執行し、当該試着映像情報をネット空間に転送し、少なくとも、1人のネット使用者に遠距離の操作と観賞を提供し、評価と対応の情報を形成する。
【００４５】
そして、手順S22を執行し、少なくとも、1人のネット使用者からの評価と対応情報を受信し収集してから、着用できる物の消費評価の参考になる。
【００４６】
最後に、手順S24を執行し、商品の注文情報を形成し、転送する。
【００４７】
具体例に、当該評価応答の情報は、得点、評論、商品建議、組合せの建議、情景の建議、着用様式の建議、出席場合の建議、商品交代建議、配色の建議、材質の建議、商品改正の建議、商品注文の建議、商品番号の情報、付属文字の情報、付属図の情報、皮膚化粧の建議或いは髪型の建議などである。上述の各評価と応答の情報により、消費者は一種の計量方式の客観的な得点、或いは文字評価及び各種類の建議情報が得られる。異なる建議情報により、速やかに試着の二次模擬が行える。且、短い時間に各種類の評価と応答で、再試着への評価と応答が得られる。当該商品建議が遠距離のネットサービスの人員から提出される可能性はある。例えば、消費者はネットサービスの人員及び他のネット上の親友の建議により、ある商品を購買し、自分のダンスに置かれる試着商品と組み合わせて、或いは他の試着商品を購買することができる。且、自分のダンスに置かれる衣服を店舗に持たずに試着が行えるので、速やかに模擬効果で模擬の試着視覚効果が評価され、消費者に速やかで、便利な消費評価の参考が提供される。
【００４８】
具体例に、当該ネット空間はサーバ、ホームページの空間、部落の空間、ネット論壇の空間、通信交換のサーバ、データベースのサーバ、文書のサーバ、点対点のサーバ、即時通信ソフトウエア、点対点交換のソフトウエア、映像のサーバ、映像の交流交換ソフトウエア、模擬のネット空間、ネットゲームの空間、模擬の3Dネット空間、模擬の3Dネット市場、映像の共有空間、ネット通信の受信ソフトウエア或いはネットサーバシステムなどである。消費者がネット即時通信IMで情報を伝送し、或いは他の使用者のターミナル試着模擬システムで再建を行うと、他の使用者が許可を得てから、消費者の助けになり、色んな試着商品或いは現在の3D試着様式に得点と建議を与えることができる。流行の専門家或いはサービス人員が速やかに商品を推薦し、消費者が即時に試着模擬を行えるようになる。
【００４９】
具体例に、試着映像情報は即時の模擬3D試着様式、動態の模擬3D試着様式、着用風格の即時模擬の3D試着様式或いは試着風格の展示などである。
【００５０】
具体例に、当該商品の注文情報に、商品予約情報があり、消費者の注文ニーズ、或いは改正期待及び個別予約の要求が達成できる。且、実施例に、当該商品の予約情報は、適当なサイズ、身体サイズ、身形情報、布地使用情報、セット商品情報、組合せ商品情報、デザイン改正要求情報、原材料変更情報、縫い方様式情報、配色情報、着色情報、洗濯予定情報、付属文字情報、或いは付属図の情報などである。実施例に、消費者は地元で様式・サイズを改正し、商品に合わせる金属ボタンと皮革部品などを変更することができる。消費者の身形情報、着用できる商品生産と紡織業の生産手順に関するサイズ情報と布地の使用情報により、消費者は速やかに生産業者に注文情報を提供し、商品の注文を行うことができる。これまでの商店で測量を行い、店員に項目ごとに説明する手続きが省略される。
【００５１】
具体例に、この発明のターミナル試着模擬システムの操作と応用方法により、身分認証の手順が行われる。消費者は身分により、ログインを検証し、身体モデル情報の読み取りが行われる。且、実施例に、当該ターミナル試着模擬システムの操作と応用方法では、更なる身分授権、組み分けと濾過が行われる。消費者が指定を行い、身分認証手順でネット使用者が消費者の転送した試着映像情報及び精確、或いは評価と応答の内容と範囲を読取ることを認証することができる。例えば、消費者は他の身体モデルの家族の3D身体モデルを記入し、家族に商品を選ぶことができる。
【００５２】
他の具体例に、当該ターミナル試着模擬システムの操作と応用方法は、更に遠距離制御プログラムを実施することができる。消費者は特定授権のある、身分認証を通過したネット使用者の転送したターミナル操作コマンドを受取ることができる。当該遠距離制御プログラムを通じて、直接に即時に遠距離で消費者のターミナル試着模擬システムの動作を制御することができる。
【００５３】
また、具体例に、当該商品の検索条件に、商品快速検索条件がある。消費者が速やかに着用できる衣服の商品モデル情報を検索することができる。且、実施例に、商品快速検索条件は、商品選択の臨時情報、ショッピング箱情報、次回購買情報、購買した商品情報、模擬ダンス情報、3D模擬商品情報、模擬3Dネット商店展示棚、模擬3Dネット商店展示の店舗、サーバ自動商品推薦情報、専門家の推薦した商品情報、遠距離の顧客サービス人員の推薦した商品情報、他のネット使用者の推薦した商品、評価と対応の推薦した商品、組合せの推薦した商品情報、購買推薦の優遇セットの情報、或いは予定の組合せセットの装飾品などである。
【００５４】
快速検索条件は、消費者に速やかな選択と異なる試着商品の試着組合せを提供する。例えば、消費者は既に商品を購買した、或いは購買の意図がある、或いは特にブランド製品を注目すると、速やかに組み合わせてみる事ができる。実際の生活に、消費者が着用商品を購買するときに、できるだけ、自家のダンスにある商品を試着の商品と組合せる視覚効果を想像する。しかし、ダンスにあるすべての商品を実際の店に持って試着することは無理である。しかし、快速選択条件を通じて、ダンスにある着用できる商品は模擬ダンスにある3D商品モデルと対応している。実際の生活に、ダンスを持って、店舗で試着する効果がとられる。消費者が快速で、便利に模擬ショッピングを行うことができる。色、様式と材質の組合せが適当でない商品に悩まされることもなくなる。
【００５５】
具体例に、当該商品検索条件で、推薦と排列する機能を執行することができる。消費者の好悪と検索記録により、商業分析或いは交差対比で推薦し、排列することができる。且、実施例に、当該推薦と排列の機能は、好みのブランド商品、注目の材質商品、好みの商品セット、同じシリーズの商品、注目スタイルの商品、消費者に合う商品、類似検索条件の商品、あるシーズンに好まれる商品、他のネット使用者に推薦された商品、他の消費者の購買したセット商品、他の消費者の投票したセット商品、民族風格の商品或いはあるデザイン風格の商品などである。現実の生活に、着用できる商品の消費市場において、大部分の試着商品は固定の名称がない。どのブランド商品、どのシーズン、どのシリーズと風格、どのスタイルのコートとは説明しがたい。消費者にとって、一般の電子商務で、名称・型番（液晶テレビの型番、タイトルのある書籍或いはISBN）を簡単に入力すると、当該商品が速やかに検索される。且、当該商品仕様が明確である。着用できる商品の検索には、商業知恵或いは交差対比の方式で検索することは絶対に必要である同時に、まだ欠如している。例えば、消費者の好むブランド、注目の材質、シーズン向けのスタイルなどの情報で、次第に検索条件を限定し、或いは排列する。このように、消費者は適当な組合せの商品を選択できる同時に、配色の組合せ・消費者の推薦・類似スタイル或いは風格から消費者に精確な検索結果が提供される。
【００５６】
具体例に、ターミナル試着模擬システムの操作と応用方法は動態的な展示で情報を顕示することができる。当該試着模擬システムに動態展示情報に事前の動態展示効果が再生される。実施例に、当該動態展示情報には少なくとも、一つの言語プログラム、商品モデル情報、動作コマンド情報及び情景情報が含まれる。実施例で、あるブランドCMでモデルがショーンに登場する映像動作の情報が形成できる。使用者は当該動態展示の情報をダウンロードすれば、ファッションの展示が観賞できるようになる。且、代表モデルの3D身体モデルを他の指定した3Dモデルに変換し、当該シーズンのブランド展示ショーを速やかに観賞することができる。
【００５７】
この発明に関する上記の具体例についての説明により、この発明のターミナル試着模擬システムが紹介される。当該ターミナル試着模擬システムは模擬モジュールで3D身体モデルと3D商品モデルを立体映像に統合することができる。且、当該立体映像により立体映像における3D商品モデルの着用できる服装が身にあうかを判断することができる。他に、ターミナル試着模擬システムは使用者の好みにより、3D身体モデルで顔の特徴を改正し、個人化の目的が達成できる。
【００５８】
上記の具体例の説明により、この発明の特徴と精神を良く把握できるように希望しております。且、上述の具体的な実施例に限らず、多くの可変と相当性の配備がこの特許請求の範囲の範疇に含まれることを望みます。
【図面の簡単な説明】
【００５９】
【図１】図一はこの発明により、効果良好の具体実施例のターミナル試着模擬システムの説明図である。
【図２Ａ】図二Aは人間模擬の身体モデルの説明図である。
【図２Ｂ】図二Bは人間模擬の身体モデルの3D輪郭線の図である。
【図３Ａ】図三Aは人間の顔模擬のモデルの説明図である。
【図３Ｂ】図三Bは人間の顔模擬のモデルの3D輪郭の図である。
【図３Ｃ】図三Cは人間の顔模擬のモデルの3D輪郭線の図である。
【図４Ａ】図四Aは3D商品モデルの説明図である。
【図４Ｂ】図四Bは3D商品モデルの3D輪郭線の説明図である。
【図５Ａ】図五Aは当該人間模擬の身体モデルの3D試着モデルの説明図である。
【図５Ｂ】図五Bは当該人間模擬の身体モデルに3D試着モデルを統合した説明図である。
【図６Ａ】図六Aは3D試着モデルの姿勢の説明図である。
【図６Ｂ】図六Bは当該3D試着モデルの他の姿勢の説明図である。
【図７】図七は他の人間顔模擬のモデルの説明図である。
【図８】図八は模擬情景における図六Bの3D試着モデルの説明図である。
【図９】図九はこの発明の効果良好の具体実施例におけるターミナル試着模擬システムの操作と応用方法のプロセス説明図である。
【符号の説明】
【００６０】
１      ターミナル試着模擬システム
２、７  人間模擬身体体勢モデル
３      人間顔模擬モデル
４      ３Ｄ商品モデル
５、６  ３Ｄ試着モデル
８      他の人間顔模擬モデル
１０    使用者インターフェースモジュール
１２    通信モジュール
１２ａ  無線電信モジュール
１２ｂ  公衆交換電話モジュール
１２ｃ  ネットワーク・モジュール
１４    模擬モジュール
１４０  物理計算式データベース
１４２  物理計算補助単元
１６    記憶モジュール
１８    ディスプレー
２２    外部ネット
２４    サーバ
Ｓ１０−Ｓ２４    プロセス
【図１】
2008165807.tif 000003
【図２Ａ】
2008165807.tif 000004
【図２Ｂ】
2008165807.tif 000005
【図４Ａ】
2008165807.tif 000006
【図４Ｂ】
2008165807.tif 000007
【図５Ａ】
2008165807.tif 000008
【図５Ｂ】
2008165807.tif 000009
【図６Ａ】
2008165807.tif 000010
【図６Ｂ】
2008165807.tif 000011
【図７】
2008165807.tif 000012
【図８】
2008165807.tif 000013
【図９】
2008165807.tif 000014
【図３Ａ】
2008165807.tif 000015
【図３Ｂ】
2008165807.tif 000016
【図３Ｃ】
2008165807.tif 000017